(57)【要約】【課題】点灯中でも報知できるダウンライトを得る。【解決手段】複数色の発光ダイオード６，８，１０，１２を光源として備えると共に、発光ダイオード６，８，１０，１２の点灯を制御する制御回路１６を備える。制御回路１６は侵入の検知信号の入力があったときに、発光ダイオード６，８，１０，１２の点灯色を白色から赤色の点滅に変更する。また、制御回路１６は停車位置の検知信号の入力があったときに、発光ダイオード６，８，１０，１２の点灯色を白色から赤色の点滅に変更する。更に、制御回路１６は侵入の検知信号の入力があったときに、発光ダイオード６，８，１０，１２の点灯色から補色の点灯色の点滅に変更する。【選択図】図１
2012064399.tif 000002
【特許請求の範囲】
【請求項１】
複数色の発光ダイオードを光源として備えると共に、前記発光ダイオードの点灯を制御する制御手段を備え、
前記制御手段は検知信号の入力があったときに、前記発光ダイオードによる点灯色を変更することを特徴とするダウンライト。
【請求項２】
前記制御手段は侵入の検知信号の入力があったときに、前記発光ダイオードの点灯色を白色から赤色の点滅に変更することを特徴とする請求項１に記載のダウンライト。
【請求項３】
前記制御手段は停車位置の検知信号の入力があったときに、前記発光ダイオードの点灯色を白色から赤色の点滅に変更することを特徴とする請求項１に記載のダウンライト。
【請求項４】
前記制御手段は侵入の検知信号の入力があったときに、前記発光ダイオードの点灯色から補色の点灯色の点滅に変更することを特徴とする請求項１に記載のダウンライト。
【発明の詳細な説明】
【技術分野】
【０００１】
本発明は、複数色の発光ダイオードを用いたダウンライトに関する。
【背景技術】
【０００２】
従来より、特許文献１にあるように、発光ダイオードを光源として用いたダウンライトが知られている。発光ダイオードを光源として用いることにより、長寿命で、消費電力が少なく発熱も少ない照明器具が得られる。
【０００３】
また、特許文献２にあるように、人感センサを廊下の両端附近の下面にそれぞれ設け、人感センサが人を検出すると光源を点灯制御するものも知られている。
【先行技術文献】
【特許文献】
【０００４】
【特許文献１】実用新案登録第３０８６８３２号公報
【特許文献２】特開２００２−２６０４０９号公報
【発明の概要】
【発明が解決しようとする課題】
【０００５】
しかしながら、こうした従来のものでは、光源に発光ダイオードを用いることにより、長寿命化や省電力化を図ることができ、また、人感センサを設けることにより、人を検知したときに、光源を点灯させることができるが、光源の点灯中に人感センサが人を検知した際には、その検知を他の人等に報知することができないという問題があった。
【０００６】
本発明の課題は、点灯中でも報知できるダウンライトを提供することにある。
【課題を解決するための手段】
【０００７】
かかる課題を達成すべく、本発明は課題を解決するため次の手段を取った。即ち、
複数色の発光ダイオードを光源として備えると共に、前記発光ダイオードの点灯を制御する制御手段を備え、
前記制御手段は検知信号の入力があったときに、前記発光ダイオードによる点灯色を変更することを特徴とするダウンライトがそれである。
【０００８】
前記制御手段は侵入の検知信号の入力があったときに、前記発光ダイオードの点灯色を白色から赤色の点滅に変更する構成でもよい。あるいは、前記制御手段は停車位置の検知信号の入力があったときに、前記発光ダイオードの点灯色を白色から赤色の点滅に変更する構成でもよい。また、前記制御手段は侵入の検知信号の入力があったときに、前記発光ダイオードの点灯色から補色の点灯色の点滅に変更する構成でもよい。
【発明の効果】
【０００９】
本発明のダウンライトは、点灯中でも、複数色の発光ダイオードの点灯制御により、点灯色を変えて、侵入者等の報知ができるという効果を奏する。
【図面の簡単な説明】
【００１０】
【図１】本発明の一実施形態としてのダウンライトの断面図である。
【図２】本実施形態のダウンライトの電気系統の構成を示すブロック図である。
【図３】本実施形態の制御回路において行われる警報処理の一例を示すフローチャートである。
【図４】本実施形態の制御回路において行われる警告処理の一例を示すフローチャートである。
【図５】本実施形態の制御回路において行われる電飾処理の一例を示すフローチャートである。
【発明を実施するための形態】
【００１１】
以下本発明を実施するための形態を図面に基づいて詳細に説明する。
図１に示すように、１は本体ケースで、本体ケース１の開口部にはレンズ２が設けられている。本体ケース１の内部には基板４が収納されており、基板４上には、光源としての複数色の発光ダイオード６，８，１０，１２が配置されている。本体ケース１の外側には、天井の取付孔に保持するための複数の弾性を有する保持脚１４が設けられている。
【００１２】
本実施形態では、複数色の発光ダイオード６，８，１０，１２として、赤色発光ダイオード６、青色発光ダイオード８、緑色発光ダイオード１０、白色発光ダイオード１２がそれぞれ複数個ずつ配置されている。
【００１３】
図２に示すように、基板４上には、制御回路１６、ドライバ回路１８、入力回路２０等が設けられており、制御回路１６はドライバ回路１８を介して、赤色発光ダイオード６、青色発光ダイオード８、緑色発光ダイオード１０、白色発光ダイオード１２を点灯制御する。
【００１４】
また、制御回路１６は入力回路２０を介して各種のセンサ２２からの検知信号を入力すると共に、外部の図示しないセキュリティシステム等からの検知信号を入力し、検知信号に基づいて点灯制御する。セキュリティシステムからの検知信号としては、侵入者の検知信号や火災発生の検知信号等がある。
【００１５】
次に、制御回路１６において行われる警報処理について、図３に示すフローチャートによって説明する。
まず、電源が投入されると、初期化処理（Ｓ５０）を行い、続いて、異常ありか否かを判断する（Ｓ５２）。異常ありか否かは、人の侵入を検知するセンサ２２からの検知信号の入力や、セキュリティシステム等からの検知信号の入力があるか否かにより判断する。
【００１６】
検知信号の入力がないときには、異常なしと判断して（Ｓ５２：ＮＯ）、警備中か否かを判断する（Ｓ５４）。警備中か否かは、例えば、外出しており、室内に人がいない状態で、警備中スイッチの投入や、セキュリティシステムからの警備中信号に基づいて判断する。
【００１７】
これらの信号の入力がないときには、警備中でないと判断して（Ｓ５４：ＮＯ）、白色発光ダイオード１２を点灯させて、室内を照明する（Ｓ５６）。そして、Ｓ５２以下の処理を繰り返し実行して、例えば、Ｓ５２の処理の実行により、セキュリティシステムから侵入の検知信号の入力があったときには、異常ありと判断して（Ｓ５２：ＹＥＳ）、白色発光ダイオード１２の点灯から（Ｓ５６）、赤色発光ダイオード６を点滅する制御に変更して（Ｓ５８）、室内の人に警報を発する。室内の人は、照明の点灯色が白色から赤色の点滅に変わるので、異常があったことをすぐに認識できる。
【００１８】
また、Ｓ５４の処理により、警備中と判断したときには（Ｓ５４：ＹＥＳ）、青色発光ダイオード８を点灯させ（Ｓ６０）、警備中であることを報知する。
次に、制御回路１６において行われる警告処理について、図４のフローチャートによって説明する。
【００１９】
センサ２２は、屋内駐車場等において、自動車が停車位置に達したときに検知信号を発するもので、屋内駐車場の照明に本実施形態のダウンライトが使用されている。電源が投入されると、初期化処理（Ｓ７０）を行い、続いて、センサ２２からの検知信号の入力があったか否かを判断する（Ｓ７２）。
【００２０】
検知信号の入力がないときには（Ｓ７２：ＮＯ）、タイマをクリアして（Ｓ７４）、白色発光ダイオード１２を点灯させて、室内を照明する（Ｓ７６）。そして、Ｓ７２以下の処理を繰り返し実行して、例えば、Ｓ７２の処理の実行により、センサ２２からの検知信号の入力があったときには（Ｓ７２：ＹＥＳ）、タイマを作動させて、タイマを加算する（Ｓ７８）。
【００２１】
そして、タイマがタイムアップしているか否かを判断し（Ｓ８０）、タイムアップしていないときには（Ｓ８０：ＮＯ）、白色発光ダイオード１２の点灯から（Ｓ７６）、赤色発光ダイオード６を点滅する制御に変更して（Ｓ８２）、運転者に停車位置に達したことを報知する。運転者は、照明の点灯色が白色から赤色の点滅に変わるので、停車位置に達したことをすぐに認識できる。
【００２２】
Ｓ７２以下の処理を繰り返し実行して、Ｓ８０の処理により、タイムアップしたと判断すると（Ｓ８０）、赤色発光ダイオード６の点滅から（Ｓ８２）、白色発光ダイオード１２を点灯する点灯制御に変更して（Ｓ８２）、屋内駐車場を照明する。
【００２３】
続いて、制御回路１６において行われる電飾処理について、図５のフローチャートによって説明する。電飾処理ではダウンライトをイルミネーションとして使用する制御が行われる。
【００２４】
まず、電源が投入されると、初期化処理（Ｓ９０）を行い、続いて、電飾パターンを取得する（Ｓ９２）。例えば、赤色発光ダイオード６、青色発光ダイオード８、緑色発光ダイオード１０、白色発光ダイオード１２を点灯制御して、赤色、青色、緑色、白色を順に点灯したり、また、赤色発光ダイオード６と青色発光ダイオード８とを同時に点灯して、橙色の照明としたり、青色発光ダイオード８と緑色発光ダイオード１０とを同時に点灯して、水色の照明としたり、赤色発光ダイオード６と緑色発光ダイオード１０とを同時に点灯して、黄色の照明とする。
【００２５】
次に、異常ありか否かを判断する（Ｓ９４）。異常ありか否かは、人の侵入を検知するセンサ２２からの検知信号の入力や、セキュリティシステム等からの検知信号の入力があるか否かにより判断する。
【００２６】
検知信号の入力がないときには、異常なしと判断して（Ｓ９４：ＮＯ）、Ｓ９２で取得した電飾パターンで、各発光ダイオード６，８，１０，１２を点灯制御して、電飾パターンを演出する（Ｓ９６）。
【００２７】
そして、Ｓ９２以下の処理を繰り返し実行して、例えば、Ｓ９４の処理の実行により、セキュリティシステムから検知信号の入力があったときには、異常ありと判断して（Ｓ９４：ＹＥＳ）、電飾パターンでの点灯制御から（Ｓ９６）、電飾パターンの補色で点滅させる制御を行う（Ｓ９８）。
【００２８】
電飾パターンの補色とは、そのときに電飾パターンで点灯している点灯色に対して、補色の関係にある色であり、例えば、緑色に対しての赤色、青色に対しての橙色等の、色相環で正反対に位置する関係の色である。
【００２９】
緑色発光ダイオード１０を点灯しているときには、赤色発光ダイオード６の点滅に変更し、青色発光ダイオード８を点灯しているときには、赤色発光ダイオード６と青色発光ダイオード８とを同時に点滅して、橙色の点滅に変更する。
【００３０】
これにより、そのときの照明が、電飾パターンによるイルミネーション照明で、点灯色が順次変化していても、異常があったときには、電飾パターンと補色の関係にある点灯色で点滅する制御に変更して（Ｓ９２）、室内の人に警報を発する。室内の人は、照明が補色の関係にある色の点滅に変わるので、異常があったことをすぐに認識できる。
【００３１】
以上本発明はこの様な実施形態に何等限定されるものではなく、本発明の要旨を逸脱しない範囲において種々なる態様で実施し得る。
【符号の説明】
【００３２】
１…本体ケース    ２…レンズ
４…基板          ６…赤色発光ダイオード
８…青色発光ダイオード    １０…緑色発光ダイオード
１２…白色発光ダイオード    １４…保持脚
１６…制御回路    １８…ドライバ回路
２０…入力回路    ２２…センサ
【図１】
2012064399.tif 000003
【図２】
2012064399.tif 000004
【図３】
2012064399.tif 000005
【図４】
2012064399.tif 000006
【図５】
2012064399.tif 000007